(57)【要約】【課題】ポータブル撮影が可能であるとともに、撮影した画像データに対してのキャリブレーションなどの画像処理のための情報入力作業の負担や予備撮影実行を軽減することである。【解決手段】制御装置１０において、撮影オーダ情報生成装置としてのＨＩＳ／ＲＩＳ２０から受信した撮影オーダ情報を、撮影対象の第１のＦＰＤ撮影装置としての立位撮影装置４０及び臥位撮影装置５０並びに第２のＦＰＤ撮影装置としてのＦＰＤカセッテカメラ６０のうちの少なくとも１つに送信して、撮影された画像データを撮影装置から受信し、受信した画像データの送信元がどの撮影装置であるかに基づいて前記画像データに画像処理を施す。【選択図】図１
2005111054.tif 000002
【特許請求の範囲】
【請求項１】
患者をＦＰＤ方式で撮影可能なＦＰＤ撮影システムにおいて、
撮影対象の患者の撮影オーダ情報を生成する撮影オーダ情報生成装置と、
固定されたＸ線源から発生されるＸ線を用いて患者を撮影して画像データを取得する固定式の第１のＦＰＤ撮影装置と、
移動可能なＸ線源から発生されるＸ線を用いて患者を撮影して画像データを取得する移動式の第２のＦＰＤ撮影装置と、
前記撮影オーダ情報生成装置並びに前記第１のＦＰＤ撮影装置及び前記第２のＦＰＤ撮影装置に通信接続され、前記撮影オーダ情報生成装置から撮影オーダ情報を取得し、当該撮影オーダ情報、又は当該撮影オーダ情報及び当該撮影オーダ情報に関連する情報を、前記第１のＦＰＤ撮影装置及び前記第２のＦＰＤ撮影装置のうちの少なくとも１つに送信し、当該第１のＦＰＤ撮影装置及び第２のＦＰＤ撮影装置のうちの少なくとも１つから撮影された画像データを受信し、当該画像データの送信元が前記第１及び第２のＦＰＤ撮影装置のいずれであるかを判別し、当該判別結果に基づいて前記画像データに画像処理を施し、画像処理後の画像データと前記撮影オーダ情報とを関連付ける制御装置と、を備えることを特徴とするＦＰＤ撮影システム。
【請求項２】
前記制御装置は、１つであり、現在の時刻情報を出力する計時部を備え、前記計時部から出力される時刻情報を含み、前記画像処理後の画像データと前記撮影オーダ情報を関連付けるための固有識別子を生成することを特徴とする請求項１に記載のＦＰＤ撮影システム。
【請求項３】
患者をＦＰＤ方式で撮影可能なＦＰＤ撮影システムにおいて、
複数の種類のＸ線源と、
前記複数の種類のＸ線源から発生されるＸ線を用いて患者を撮影して画像データを取得する複数のＦＰＤ撮影装置と、を備え、
前記各ＦＰＤ撮影装置は、前記複数の種類のＸ線源のうちの所定のＸ線源に関連付けられ、
前記ＦＰＤ撮影装置に通信接続され、前記ＦＰＤ撮影装置により撮影された画像データを前記ＦＰＤ撮影装置から受信し、当該画像データに、当該画像データの送信元のＦＰＤ撮影装置が関連付けられた前記Ｘ線源に対応する画像処理を施す制御装置を備え、
前記複数の種類のＸ線源は、固定式のＸ線源と、移動式のＸ線源とを含むことを特徴とするＦＰＤ撮影システム。
【請求項４】
前記複数のＦＰＤ撮影装置は、立位撮影装置及び臥位撮影装置のうちの少なくとも１つを含み、
前記立位撮影装置及び臥位撮影装置のうちの少なくとも１つは、前記固定式のＸ線源に関連付けられることを特徴とする請求項３に記載のＦＰＤ撮影システム。
【請求項５】
前記複数のＦＰＤ撮影装置は、ＦＰＤカセッテカメラを含み、
前記ＦＰＤカセッテカメラは、前記移動式のＸ線源に関連付けられることを特徴とする請求項３又は４に記載のＦＰＤ撮影システム。
【発明の詳細な説明】
【技術分野】
【０００１】
本発明は、画像を撮影するＦＰＤ撮影システムに関する。
【背景技術】
【０００２】
近年、病院内では、医用画像の撮影装置として、ＣＲ（Computed Radiography）撮影装置とともに、ＦＰＤ（Flat Panel Detector）を用いた撮影装置が用いられるようになってきた。これは、ＣＲ撮影装置に対し、ＦＰＤ撮影装置が撮影現場で一時的に技師などが画像を確認可能なため、撮影の成否などを直ちに確認できる利点を有している。
【０００３】
また、複数のＦＰＤ方式のデジタルカセッテ（以下、ＦＰＤカセッテカメラとする）を立位撮影装置や臥位撮影装置に装填し、立位撮影や臥位撮影に使用したり、あるいは、ポータブルＸ線装置とともにＦＰＤカセッテカメラを使用し、ベッドサイドでの撮影を可能とするＦＰＤ撮影システムが考えられている（例えば、特許文献１参照）。
【０００４】
上記のＦＰＤ撮影システムでは、ＦＰＤカセッテカメラがどの撮影方式にも使用できる利点を有している反面、使用するＦＰＤカセッテカメラと立位撮影室や臥位撮影室に固定して設けられたＸ線源との相性補正（キャリブレーション）、又は患者のベッドサイドなどでの撮影に使用されるポータブルのＸ線源と個々のＦＰＤカセッテカメラのとのキャリブレーションが必要である。このキャリブレーション結果を保存し、各ＦＰＤカセッテカメラを用いて患者撮影された医用画像データを、当該保存された各キャリブレーション結果に基づいて補正することで、初めて画像の均一性が確保可能となる。
【０００５】
よって、上記ＦＰＤ撮影システムでは、撮影された医用画像データの制御装置へ送信するにあたり、ＦＰＤカセッテカメラ側から、ＦＰＤカセッテカメラのＩＤとともに、どのＸ線源を使用したかのＸ線源識別情報を画像データに付加して送信する。あるいは、撮影された画像データを１つの制御装置で受信する際に、受信した画像データごとに、当該画像データがどの撮影装置を用いたかを示す装置識別情報を技師などの操作者が入力する。
【０００６】
また、１つのコントローラに立位専用のＦＰＤ撮影装置及び臥位専用のＦＰＤ撮影装置を接続して、立位撮影及び臥位撮影を一元的に管理するＦＰＤ撮影システムが考えられている（例えば、特許文献２参照）。
【特許文献１】特開２００２−３３６２２５号公報
【特許文献２】特開２００３−２１０４４９号公報
【発明の開示】
【発明が解決しようとする課題】
【０００７】
上記のＦＰＤカセッテカメラＩＤ及びＸ線源識別情報を画像データに付加する方式では、複数のＦＰＤカセッテカメラそれぞれに、Ｘ線源を特定するための入力手段が必要となり、ＦＰＤカセッテカメラの構造が複雑化するおそれがある。
【０００８】
また、受信した画像データごとに撮影装置識別情報を技師などの操作者が入力する方式では、操作者の入力作業が必要であり、操作者の作業負担が増大する。撮影者が操作者である場合に、撮影者が制御装置まで戻らなければならない。また、撮影者と操作者とが別人である場合に、撮影者が照射録などに撮影装置識別情報を手書きし、その照射録を操作者に届けるなどが必要である。このため、病院内のワークフロー上好ましくなく、全体の撮影効率を下げるおそれがあった。
【０００９】
また、上記１つのコントローラで立位専用撮影装置と臥位専用撮影装置とを管理する方式では、キャリブレーションのための情報入力を撮影ごとに行う必要がないものの、ベッドサイドにおけるポータブル撮影を行うことができないという問題があった。
【００１０】
本発明の課題は、ポータブル撮影が可能であるとともに、撮影した画像データに対してのキャリブレーションなどの画像処理のための情報入力作業の負担や予備撮影実行を軽減することである。
【課題を解決するための手段】
【００１１】
上記の課題を解決するために、請求項１に記載の発明は、患者をＦＰＤ方式で撮影可能なＦＰＤ撮影システムにおいて、
撮影対象の患者の撮影オーダ情報を生成する撮影オーダ情報生成装置と、
固定されたＸ線源から発生されるＸ線を用いて患者を撮影して画像データを取得する固定式の第１のＦＰＤ撮影装置と、
移動可能なＸ線源から発生されるＸ線を用いて患者を撮影して画像データを取得する移動式の第２のＦＰＤ撮影装置と、
前記撮影オーダ情報生成装置並びに前記第１のＦＰＤ撮影装置及び前記第２のＦＰＤ撮影装置に通信接続され、前記撮影オーダ情報生成装置から撮影オーダ情報を取得し、当該撮影オーダ情報、又は当該撮影オーダ情報及び当該撮影オーダ情報に関連する情報を、前記第１のＦＰＤ撮影装置及び前記第２のＦＰＤ撮影装置のうちの少なくとも１つに送信し、当該第１のＦＰＤ撮影装置及び第２のＦＰＤ撮影装置のうちの少なくとも１つから撮影された画像データを受信し、当該画像データの送信元が前記第１及び第２のＦＰＤ撮影装置のいずれであるかを判別し、当該判別結果に基づいて前記画像データに画像処理を施し、画像処理後の画像データと前記撮影オーダ情報とを関連付ける制御装置と、を備えることを特徴とする。
【００１２】
請求項１に記載の発明によれば、制御装置において、受信した撮影オーダ情報、又は当該撮影オーダ情報及び当該撮影オーダ情報に関連する情報を、第１及び第２のＦＰＤ撮影装置のうちの少なくとも１つに送信して、受信した画像データの送信元が第１及び第２のＦＰＤ撮影装置のいずれであるかに基づいて前記画像データに画像処理を施す。このため、第１及び第２のＦＰＤ撮影装置において、撮影オーダ情報、当該撮影オーダ情報に関連する情報に基づいて容易に撮影を行うことができるとともに、第１のＦＰＤ撮影装置に対応して撮影された画像データに対して、画像処理のための情報入力作業及び予備撮影を不要とすることができるので、ＦＰＤ撮影システム全体として、撮影された画像データに対して、画像処理のための情報入力作業負担や予備撮影実行を軽減することができ、当該画像処理のための情報の記憶容量の節約を行うことができ、かつ第２のＦＰＤ撮影装置を用いてポータブル撮影を行うことができる。
【００１３】
請求項２に記載の発明は、請求項１に記載のＦＰＤ撮影システムにおいて、
前記制御装置は、１つであり、現在の時刻情報を出力する計時部を備え、前記計時部から出力される時刻情報を含み、前記画像処理後の画像データと前記撮影オーダ情報を関連付けるための固有識別子を生成することを特徴とする。
【００１４】
請求項２に記載の発明によれば、１つの制御装置において、現在の時刻情報を含み、画像処理後の画像データと撮影オーダ情報とを関連付けるための固有識別子を生成するので、固有識別子に基づいて、画像処理後の画像データと撮影オーダ情報とを容易に関連付けできるとともに、制御装置及びその計時部が複数存在することによる固有識別子中の時刻情報の重複を防ぐことができ、さらに、固有識別子中の制御装置の識別情報が不要となるので、固有識別子を短くすることができる。
【００１５】
請求項３に記載の発明は、患者をＦＰＤ方式で撮影可能なＦＰＤ撮影システムにおいて、
複数の種類のＸ線源と、
前記複数の種類のＸ線源から発生されるＸ線を用いて患者を撮影して画像データを取得する複数のＦＰＤ撮影装置と、を備え、
前記各ＦＰＤ撮影装置は、前記複数の種類のＸ線源のうちの所定のＸ線源に関連付けられ、
前記ＦＰＤ撮影装置に通信接続され、前記ＦＰＤ撮影装置により撮影された画像データを前記ＦＰＤ撮影装置から受信し、当該画像データに、当該画像データの送信元のＦＰＤ撮影装置が関連付けられた前記Ｘ線源に対応する画像処理を施す制御装置を備え、
前記複数の種類のＸ線源は、固定式のＸ線源と、移動式のＸ線源とを含むことを特徴とする。
【００１６】
請求項３に記載の発明によれば、制御装置において、撮影された画像データをＦＰＤ撮影装置から受信し、当該画像データに、送信元のＦＰＤ撮影装置が関連付けられた固定式又は移動式のＸ線源に対応する画像処理を施すので、固定式のＸ線源に対応して撮影された画像データに対して、画像処理のための情報入力作業及び予備撮影を不要とすることができるので、ＦＰＤ撮影システム全体として、撮影された画像データに対して、画像処理のための情報入力作業負担や予備撮影実行を軽減することができ、当該画像処理のための情報の記憶容量の節約を行うことができるとともに、移動式のＸ線源及び当該Ｘ線源に対応するＦＰＤ撮影装置を用いてポータブル撮影を行うことができる。
【００１７】
請求項４に記載の発明は、請求項３に記載のＦＰＤ撮影システムにおいて、
前記複数のＦＰＤ撮影装置は、立位撮影装置及び臥位撮影装置のうちの少なくとも１つを含み、
前記立位撮影装置及び臥位撮影装置のうちの少なくとも１つは、前記固定式のＸ線源に関連付けられることを特徴とする。
【００１８】
請求項４に記載の発明によれば、立位撮影装置及び臥位撮影装置のうちの少なくとも１つを備えて固定式のＸ線源に関連付けられるので、固定式のＸ線源に対応して立位又は臥位撮影された画像データに対して、画像処理のための情報入力作業及び予備撮影を不要とすることができる。
【００１９】
請求項５に記載の発明は、請求項３又は４に記載のＦＰＤ撮影システムにおいて、
前記複数のＦＰＤ撮影装置は、ＦＰＤカセッテカメラを含み、
前記ＦＰＤカセッテカメラは、前記移動式のＸ線源に関連付けられることを特徴とする。
【００２０】
請求項５に記載の発明によれば、ＦＰＤカセッテカメラを備えて移動式のＸ線源に関連付けられるので、移動式のＸ線源に対応してＦＰＤカセッテカメラを用いてポータブル撮影を行うことができる。
【発明の効果】
【００２１】
請求項１に記載の発明によれば、制御装置において、受信した撮影オーダ情報、又は当該撮影オーダ情報及び当該撮影オーダ情報に関連する情報を、第１及び第２のＦＰＤ撮影装置のうちの少なくとも１つに送信して、受信した画像データの送信元が第１及び第２のＦＰＤ撮影装置のいずれであるかに基づいて前記画像データに画像処理を施す。このため、第１及び第２のＦＰＤ撮影装置において、撮影オーダ情報、当該撮影オーダ情報に関連する情報に基づいて容易に撮影を行うことができるとともに、第１のＦＰＤ撮影装置に対応して撮影された画像データに対して、画像処理のための情報入力作業及び予備撮影を不要とすることができるので、ＦＰＤ撮影システム全体として、撮影された画像データに対して、画像処理のための情報入力作業負担や予備撮影実行を軽減することができ、当該画像処理のための情報の記憶容量の節約を行うことができ、かつ第２のＦＰＤ撮影装置を用いてポータブル撮影を行うことができる。
【００２２】
請求項２に記載の発明によれば、１つの制御装置において、現在の時刻情報を含み、画像処理後の画像データと撮影オーダ情報とを関連付けるための固有識別子を生成するので、固有識別子に基づいて、画像処理後の画像データと撮影オーダ情報とを容易に関連付けできるとともに、制御装置及びその計時部が複数存在することによる固有識別子中の時刻情報の重複を防ぐことができ、さらに、固有識別子中の制御装置の識別情報が不要となるので、固有識別子を短くすることができる。
【００２３】
請求項３に記載の発明によれば、制御装置において、撮影された画像データをＦＰＤ撮影装置から受信し、当該画像データに、送信元のＦＰＤ撮影装置が関連付けられた固定式又は移動式のＸ線源に対応する画像処理を施すので、固定式のＸ線源に対応して撮影された画像データに対して、画像処理のための情報入力作業及び予備撮影を不要とすることができるので、ＦＰＤ撮影システム全体として、撮影された画像データに対して、画像処理のための情報入力作業負担や予備撮影実行を軽減することができ、当該画像処理のための情報の記憶容量の節約を行うことができるとともに、移動式のＸ線源及び当該Ｘ線源に対応するＦＰＤ撮影装置を用いてポータブル撮影を行うことができる。
【００２４】
請求項４に記載の発明によれば、立位撮影装置及び臥位撮影装置のうちの少なくとも１つを備えて固定式のＸ線源に関連付けられるので、固定式のＸ線源に対応して立位又は臥位撮影された画像データに対して、画像処理のための情報入力作業及び予備撮影を不要とすることができる。
【００２５】
請求項５に記載の発明によれば、ＦＰＤカセッテカメラを備えて移動式のＸ線源に関連付けられるので、移動式のＸ線源に対応してＦＰＤカセッテカメラを用いてポータブル撮影を行うことができる。
【発明を実施するための最良の形態】
【００２６】
以下、図を参照して本発明の実施の形態を詳細に説明する。ただし、発明の範囲は、図示例に限定されない。
【００２７】
まず、図１〜図４を参照して、本実施の形態の構成を説明する。図１に、本実施の形態のＦＰＤ撮影システム１００の構成を示す。図２に、制御装置１０の内部構成を示す。図３に、立位撮影装置４０の内部構成を示す。図４に、ＦＰＤカセッテカメラ６０の内部構成を示す。
【００２８】
図１に示すように、患者の患部をＦＰＤ方式で撮影して、撮影された患部の画像データを取得するＦＰＤ撮影システム１００は、撮影装置を制御する制御装置１０と、情報管理システムとしてのＨＩＳ（Hospital Information System）／ＲＩＳ（Radiology Information System）２０と、撮影された画像データを保存及び管理する画像サーバ３０と、を備えて構成され、各装置がネットワークＮを介して通信接続される。
【００２９】
ネットワークＮは、ＬＡＮ（Local Area Network）やＷＡＮ（Wide Area Network）、インターネットなどの様々な回線形態を適用可能である。なお、病院などの医療機関内で医療機器に支障のある無線ＬＡＮなどを除く。しかし、許可されるのであれば、無線通信や赤外線通信であってもよいが、撮影オーダ情報を送受信する際には重要な患者情報を含むため、撮影オーダ情報は暗号化することが好ましい。また、ネットワークＮ上の機器同士のデータ送受信は、送信元の機器が送信先の機器のＩＰ（Internet Protocol）アドレスを指定してデータ送信するものとする。
【００３０】
また、制御装置１０は、ＦＰＤ方式の立位の患者の患部撮影専用で固定式の立位撮影装置４０と、ＦＰＤ方式の臥位の患者の患部撮影専用で固定式の臥位撮影装置５０と、ＦＰＤ方式で患者の患部を撮影し、撮影されたその画像データを記録及び表示するポータブル式のＦＰＤカセッテカメラ６０と、ＦＰＤカセッテカメラ６０用のＸ線を発生するＸ線源７０と、が通信ケーブルなどを介して通信接続される。
【００３１】
図１には、立位撮影装置４０と、臥位撮影装置５０と、ＦＰＤカセッテカメラ６０と、Ｘ線源７０とが１台ずつ、１台の制御装置１０に接続される方式であるが、これに限るものではない。立位撮影装置４０、臥位撮影装置５０、ＦＰＤカセッテカメラ６０、Ｘ線源７０は、それぞれ少なくとも１台ずつが１台の制御装置１０に接続される構成でよい。また、制御装置１０が複数設けられる構成としてもよい。また、Ｘ線源７０は、制御装置１０に接続されて、制御装置１０と連動する構成とするが、これに限るものではなく、Ｘ線源７０が、制御装置１０に接続されず、制御装置１０から独立して動作可能とする構成としてもよい。また、立位撮影装置４０、臥位撮影装置５０及びＦＰＤカセッテカメラ６０をまとめて撮影装置とする。
【００３２】
制御装置１０は、ＨＩＳ／ＲＩＳ２０から撮影オーダ情報を受信し、受信した撮影オーダ情報に基づいて医用画像撮影を管理するとともに、立位撮影装置４０、臥位撮影装置５０及びＦＰＤカセッテカメラ６０から受信する画像データ及び撮影結果情報に基づいて医用画像の撮影履歴を管理する装置である。
【００３３】
次いで、図２を参照して、制御装置１０の内部構成を説明する。制御装置１０は、ＣＰＵ１１と、操作部１２と、ＲＡＭ１３と、表示部１４と、記憶部１５と、計時部１６と、通信制御部１７と、Ｉ／Ｆ（インタフェース）１８とから構成され、各部はバス１９により接続されている。
【００３４】
ＣＰＵ１１は、制御装置１０内の各部を中央制御し、記憶部１５に格納されているシステムプログラム及び各種アプリケーションプログラムの中から指定されたプログラムをＲＡＭ１３に展開し、ＲＡＭ１３に展開されたプログラムとの協働で、各種処理を実行する。この処理の主体を制御部１１１とする。本実施の形態においては、記憶部１５に、撮影処理を実行するための撮影プログラムが記憶される。撮影処理の詳細については後述する。
【００３５】
操作部１２は、カーソルキー、数字キー及び各種機能キーなどを備えて構成され、撮影者により押下されたキーに対応する押下信号をＣＰＵ１１に出力する。なお、操作部１２は、必要に応じてマウス、タッチパネルなどのポインティングデバイスや、その他の入力装置を備えることとしてもよい。
【００３６】
表示部１４は、ＬＣＤ（Liquid Crystal Display）、ＣＲＴ（Cathode Ray Tube）、ＥＬディスプレイ（ElectroLuminescent Display）などによる表示ディスプレイを備えた表示手段であり、ＣＰＵ１１からの表示指示に基づいて撮影オーダ情報、画像データなどの各種情報を表示する。
【００３７】
ＲＡＭ１３は、前述の指定されたアプリケーションプログラム、入力指示、入力データ及び処理結果などを格納するワークメモリエリアを有する。
【００３８】
記憶部１５は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータなどを記憶する。また、この記憶媒体は磁気的、光学的記憶媒体又は半導体メモリで構成され、記憶部１５に固定的に設けられるもの又は着脱自在に装着するものである。
【００３９】
また、記憶部１５には、ＨＩＳ／ＲＩＳ２０から送信された撮影オーダ情報が記憶可能である。撮影オーダ情報は、医師などの指示により生成され、技師などの撮影者が撮影に要する情報であり、例えば、撮影を識別する撮影ＩＤ、撮影対象の患者の患者ＩＤ，氏名、性別、年齢、患者の病室、患者の所属する内科、外科などの依頼科、撮影部位、撮影枚数、撮影サイズ、撮影する技師を識別する技師ＩＤ、撮影装置ＩＤなどが含まれる。撮影装置ＩＤは、例えば、立位撮影装置４０のＩＤ、臥位撮影装置５０のＩＤ、ＦＰＤカセッテカメラ６０のＩＤであり、同じ種類の撮影装置がある場合には、その同じ各撮影装置ごとで異なるように付与される。
【００４０】
また、撮影オーダ情報には、患者情報として患者ＩＤ、氏名、性別、年齢の他、例えば、担当医師名、感染症などを警告する警告情報、薬物アレルギーの有無、妊娠の有無、追加病歴、車椅子や担架などの特別な介護の必要性、臨床診断名、守秘事項などの各種患者情報が格納される構成であってもよい。また、撮影オーダ情報には、撮影情報として撮影部位、撮影装置、撮影枚数及び撮影サイズの他、例えば、撮影方法（単純撮影、造影撮影など）、撮影予定日などの各種撮影情報が格納される構成、場合によってはパスワード入力により表示可能とする構成であってもよい。
【００４１】
また、記憶部１５には、画像データとともに撮影の履歴としての撮影履歴情報が記憶される。撮影履歴情報は、例えば、撮影ＩＤ、技師ＩＤなどが含まれ、さらに、固有識別子としてのＵ（ユニーク）ＩＤが付加される。
【００４２】
ここで、ＵＩＤを説明する。先ず、医用画像通信の規格としてＤＩＣＯＭ（Digital Imaging and Communications：医療におけるディジタル画像と通信）規格が一般的に使用されている。ＤＩＣＯＭ規格に準拠した医用画像生成装置では、医用画像の生成時に、ＯＳＩ（Open Systems Interconnection）オブジェクト登録管理制度を利用して、医用画像生成装置の製造組織または設置施設、個々の検査、シリーズ、画像ファイルに対してＵＩＤ（Unique Identification）と呼ばれる識別子を付加し管理している。
【００４３】
このＵＩＤ構成要素の一例を次に示す。
1.2.392.200036.9107.500.301.1.YYYYMMDD.HHMMSS.101
ここで、各項目は以下の通りである。
【００４４】
（１）1.2.392.    ：ＪＩＳＣ（Japanese Industrial Standards Committee：日本工
業標準調査会）ＩＳＯの加盟機関を示すコード
（２）200036. ：ＪＩＲＡ（Japan Industries Association of Radiological Systems：日本画像医療システム工業会）を示すコード
（３）9107. ：ＪＩＲＡが付与した会社を示すコード
（４）500.      ：モダリティ  各検査方式に対応するコード番号
（５）302.      ：機種名  医用画像装置の機種名
（６）1.        ：機種毎の連番（製造番号）
（７）YYYYMMDD.HHMMSS.  ：医用画像データの時刻情報（年月日時分秒）
（８）101 ：装置内で発行されるユニークな番号
【００４５】
つまり、本実施の形態において、ＵＩＤには、撮影装置及び制御装置１０の機種及び機種ごとの連番を示すＩＤと、画像データの生成時刻情報とが含まれるように生成される。
【００４６】
計時部１６は、現在時刻を示す時刻情報をＣＰＵ１１に出力する。通信制御部１７は、ネットワークＮに接続され、データの転送速度の調整や、データ形式の変換を行い、ネットワークＮ上の機器とのデータの送受信を行う。Ｉ／Ｆ１８は、立位撮影装置４０、臥位撮影装置５０、ＦＰＤカセッテカメラ６０及びＸ線源７０に接続され、データの転送速度の調整や、データ形式の変換を行い、各撮影装置とのデータの送受信を行う。
【００４７】
次いで、図３を参照して、立位撮影装置４０の内部構成を説明する。立位撮影装置４０は、ＣＰＵ４１と、操作部４２と、ＲＡＭ４３と、表示部４４と、記憶部４５と、画像読取部４６と、Ｘ線源部４７と、Ｉ／Ｆ４８とから構成され、各部はバス４９により接続されている。また、ＣＰＵ４１とＲＡＭ４３上に展開された各種プログラムの協働により実行される各処理の主体を制御部４１１とする。
【００４８】
ＣＰＵ４１、操作部４２、ＲＡＭ４３、表示部４４、記憶部４５、Ｉ／Ｆ４８、制御部４１１は、それぞれ、制御装置１０のＣＰＵ１１、操作部１２、ＲＡＭ１３、表示部１４、記憶部１５、Ｉ／Ｆ１８、制御部１１１と同様であり、異なる部分を主として説明する。
【００４９】
Ｘ線源部４７は、Ｘ線を発生する管球などにより構成され、固定的に設置されるものである。つまり、１種類のＸ線を発生する。画像読取部４６は、ＴＦＴ（Thin Film Transistor）などを用いた画素マトリクス状センサパネルなどにより構成され、当該画素マトリクス状センサパネルに入射されたＸ線を画素ごとに感知することで、画像データを出力する。
【００５０】
画像読取部４６の画像読取面と、Ｘ線源部４７のＸ線照射面とは対向する。Ｘ線源部４７から発生されたＸ線が画像読取部４６の画像読取面に照射されるように、画像読取部４６及びＸ線源部４７が固定的に設置される。但し、Ｘ線源部４７のＸ線照射面及び画像読取部４６の画像読取面は被写体部分に合せて位置調整が可能であるものとする。撮影時には、患者が画像読取部４６の画像読取面に被写体部分が位置するように立位で静止し、Ｘ線源部４７から発生されたＸ線が被写体部分に照射され、患者を透過したＸ線が画像読取部４６に入射され、当該透過Ｘ線が画像読取部４６により読み取られて画像データが取得される。記憶部４５には、取得された画像データが記憶可能である。また、記憶部４５に記憶された画像データは、表示部４４に表示可能となり、撮影後に一時的に撮影者などが閲覧可能となる。
【００５１】
また、Ｉ／Ｆ４８を介して制御部１０から送信された撮影オーダ情報は、記憶部４５に記憶可能であり、表示部４４に表示可能である。また、記憶部４５には、立位撮影装置４０を識別する撮影装置ＩＤが予め記憶される。また、記憶部４５に記憶された各種データは、Ｉ／Ｆ４８を介して制御部１０に送信可能である。
【００５２】
また、図示しないが、臥位撮影装置７０は、立位撮影装置６０と同様の構成となる。但し、患者が臥位で載る図示しない患者台が設置される。臥位撮影装置７０において、画像読取部の画像読取面と、Ｘ線源部のＸ線照射面とは対向する。Ｘ線源部から発生されたＸ線が画像読取部の画像読取面に照射されるように、画像読取部及びＸ線源部が固定的に設置される。但し、Ｘ線源部のＸ線照射面及び画像読取部の画像読取面は被写体部分に合せて位置調整が可能であるものとする。撮影時には、患者が画像読取部の画像読取面に被写体部分が位置するように患者台の上で臥位で静止し、Ｘ線源部から発生されたＸ線が被写体部分に照射され、患者を透過したＸ線が画像読取部に入射され、当該透過Ｘ線が画像読取部により読み取られて画像データが取得される。
【００５３】
次いで、図４を参照して、ＦＰＤカセッテカメラ６０の内部構成を説明する。ＦＰＤカセッテカメラ６０は、ＣＰＵ６１と、操作部６２と、ＲＡＭ６３と、表示部６４と、記憶部６５と、画像読取部６６と、Ｉ／Ｆ６７とから構成され、各部はバス６８により接続されている。また、ＣＰＵ６１とＲＡＭ６３上に展開された各種プログラムの協働により実行される各処理の主体を制御部６１１とする。
【００５４】
ＣＰＵ６１、操作部６２、ＲＡＭ６３、表示部６４、記憶部６５、画像読取部６６、Ｉ／Ｆ６７、制御部６１１は、それぞれ、立位撮影装置４０のＣＰＵ４１、操作部４２、ＲＡＭ４３、表示部４４、記憶部４５、画像読取装置４６、Ｉ／Ｆ４８、制御部４１１と同様であり、異なる部分を主として説明する。
【００５５】
また、画像読取部６６は、別体のＸ線源７０から発生されたＸ線を読み取る。ＦＰＤカセッテカメラ６０及びＸ線源７０は、ポータブルで位置を自在に設置できる。撮影時には、患者の病室のベッドサイドなどで、Ｘ線源７０から発生されたＸ線が画像読取部６６の画像読取面に照射されるように、ＦＰＤカセッテカメラ６０及びＸ線源７０が設置される。患者が画像読取部６６の画像読取面に被写体部分が位置するように静止し、Ｘ線源７０から発生されたＸ線が被写体部分に照射され、患者を透過したＸ線が画像読取部６６に入射され、当該透過Ｘ線が画像読取部６６により読み取られて画像データが取得され、記憶部６５に記憶される。
【００５６】
表示部６４は、ＬＣＤ、ＥＬなどにより構成され、記憶部６５に記憶された撮影済の画像データと、制御装置１０から送信された撮影オーダ情報とが表示可能である。操作部６２は、携帯機器用のキーなどを備える。また、表示部６４及び操作部６２は、一体的にタッチパネルを構成することとしてもよい。
【００５７】
次に、図５を参照して、ＦＰＤ撮影システム１００の動作を説明する。図５に、制御装置１０において実行される撮影処理を示す。予め、ＨＩＳ／ＲＩＳ２０において、これから撮影する撮影に対応する撮影オーダ情報が作成及び記憶されている。制御装置１０において、ＨＩＳ／ＲＩＳ２０から送信された前記撮影オーダ情報をネットワークＮを介して受信開始したことをトリガとして、ＣＰＵ１１は、記憶部１５に記憶されている撮影プログラムを読み出してＲＡＭ１３に展開し、そのＲＡＭ１３内の撮影プログラムとの協働により撮影処理を実行する。以下、撮影処理の各ステップの処理主体は、特に言及しない場合、制御部１１１であるとする。
【００５８】
先ず、ＨＩＳ／ＲＩＳ２０から送信された撮影オーダ情報が、ネットワークＮ及び通信制御部１７を介して受信されて記憶部１５に記憶される（ステップＳ１１）。このとき、操作者により、撮影オーダ情報内の足りない情報や変更された情報などが操作部１２から入力されて、撮影オーダ情報が更新される構成としてもよい。そして、ステップＳ１１において受信された撮影オーダ情報から、撮影対象の撮影装置ＩＤが読み出され、当該撮影装置ＩＤに対応する撮影装置に撮影オーダ情報がＩ／Ｆ１８を介して送信される（ステップＳ１２）。撮影対象の撮影装置ＩＤが複数ある場合には、各撮影装置に対応する撮影オーダ情報が抽出され、各撮影装置に対応する撮影オーダ情報が送信される。
【００５９】
撮影装置が立位撮影装置４０における撮影である場合に、立位撮影装置４０は、Ｉ／Ｆ４８を介して撮影オーダ情報を受信して表示部４４に表示する。技師は、表示部４４に表示された撮影オーダ情報を参照して、操作部４２における操作入力などにより立位撮影装置４０を用いて患者を撮影する。Ｘ線源部４７から発生されたＸ線が患者を透過し、その透過したＸ線が画像読取部４６により読み取られて画像データが取得される。撮影された画像データは、記憶部４５に記憶されるとともに表示部４４に表示される。技師は、表示部４４に表示された画像データが正常に撮影されているか否かを確認し、正常に撮影されている場合に、操作部４２を介して画像データの送信指示及び技師ＩＤを入力する。そして、撮影された画像データが、撮影装置ＩＤ及び技師ＩＤを含む撮影結果情報とともに、Ｉ／Ｆ４８を介して制御装置１０に送信される。正常に撮影されていない場合には、再撮影を行う。
【００６０】
立位撮影装置４０は、Ｘ線源部４７及び画像読取部４８がそれぞれ一種類に固定されているので、画像データに対するキャリブレーションは、Ｘ線源部４７及び画像読取部４８の組合せに対応する固定したキャリブレーションを行うだけでよい。このため、キャリブレーションは、予め設定されたキャリブレーション情報を用いる。また、撮影装置が臥位撮影装置５０における撮影の場合も同様である。
【００６１】
また、撮影装置がＦＰＤカセッテカメラ６０の場合も、Ｘ線源７０を用いて，同様に撮影及び画像データの送信が行われる。但し、撮影装置がＦＰＤカセッテカメラ６０の場合には、Ｘ線源７０が取換え可能であり、またＦＰＤカセッテカメラ６０が取換え可能であるので、Ｘ線源７０及びＦＰＤカセッテカメラ６０の組合せが複数存在し、キャリブレーション情報を取得するためのキャリブレーション撮影を行う必要がある。キャリブレーション撮影の場合、キャリブレーション撮影であることを示す情報が撮影結果情報に含められ、制御装置１０に送信される。また、ＦＰＤカセッテカメラ６０において、正常に撮影されていない場合は、撮影者により操作部６２を介して画像の消去指示が入力され、撮影された画像データが記憶部６５から消去されて、再撮影される。
【００６２】
そして、制御部１０において、撮影装置から画像データ及びその撮影結果情報がＩ／Ｆ１８を介して受信される（ステップＳ１３）。そして、受信された撮影結果情報内の撮影装置ＩＤが参照され、送信元の撮影装置がＦＰＤカセッテカメラ６０であるか否かが判別される（ステップＳ１４）。送信元の撮影装置がＦＰＤカセッテカメラ６０である場合（ステップＳ１４；ＹＥＳ）、受信された撮影結果情報内にキャリブレーション撮影の旨の情報があるか否かが参照され、キャリブレーション撮影であるか否かが判別される（ステップＳ１５）。
【００６３】
キャリブレーション撮影である場合（ステップＳ１５；ＹＥＳ）、受信された画像データを用いて、今回撮影しているＦＰＤカセッテカメラ６０及びＸ線源７０の組合せに対応するキャリブレーション情報が作成されてＲＡＭ１３に記憶される（ステップＳ１６）。そして、撮影オーダ情報と、記憶部１５に記憶された撮影履歴情報とが参照され、撮影が終了されたか否かが判別される（ステップＳ１７）。操作者により操作部１２から撮影処理の終了指示が入力された場合には、撮影処理の終了と判別される構成でもよい。撮影が終了された場合（ステップＳ１７；ＹＥＳ）、撮影処理が終了される。撮影が終了されていない場合（ステップＳ１７；ＮＯ）、ステップＳ１３に移行され、次の画像データ及び撮影結果情報が受信される。
【００６４】
キャリブレーション撮影でない場合（ステップＳ１５；ＮＯ）、ステップＳ１６において作成されたキャリブレーション情報に基づいて、新たに受信された画像データにキャリブレーションが施される（ステップＳ１８）。そして、計時部１６から現在の年月日時分秒が取得され、取得された現在の年月日時分秒と、受信された画像データに対応する撮影オーダ情報の撮影装置ＩＤなどとを用いて、受信された画像データに対応するＵＩＤが生成される（ステップＳ１９）。そして、撮影された画像データと、ステップＳ１９において作成されたＵＩＤと、撮影結果情報中の技師ＩＤなどとを含む撮影履歴情報が記憶部１５に記憶され（ステップＳ２０）、ステップＳ１７に移行される。つまり、ステップＳ２０において、画像データと撮影オーダ情報とが関連付けられて記憶される。例えば、ＵＩＤは画像データのファイル名として用いられる。また、ＵＩＤ、技師ＩＤなどの情報は、対応する画像データのヘッダ部分に付加されて付帯情報としてもよい。
【００６５】
そして、送信元の撮影装置がＦＰＤカセッテカメラ６０でない場合（ステップＳ１４；ＮＯ）、送信元の撮影装置が立位撮影装置４０又は臥位撮影装置５０であるので、記憶部１５に予め記憶されている固定のキャリブレーション情報が読み出され、その固定のキャリブレーション情報に基づいて、受信された画像データにキャリブレーションが施され（ステップＳ２１）、ステップＳ１９に移行される。
【００６６】
また、記憶部１５に記憶された画像データは、撮影処理後、操作部１２を介したユーザの表示指示入力などにより、制御装置１０の表示部１４に自在に表示される。また、記憶部１５に記憶された画像データは、例えば、ネットワークＮを介して画像サーバ３０に送信される。そして、画像サーバ３０において撮影済の画像データが管理される。
【００６７】
以上、本実施の形態によれば、制御装置１０において、受信した撮影オーダ情報を、撮影対象の立位撮影装置４０、臥位撮影装置５０及びＦＰＤカセッテカメラ６０のうちの少なくとも１つに送信して、撮影された画像データを受信し、受信した画像データの送信元が立位撮影装置４０、臥位撮影装置５０及びＦＰＤカセッテカメラ６０のいずれであるかに基づいて前記画像データにキャリブレーションを施す。固定式の立位撮影装置４０及び臥位撮影装置５０には、固定したＸ線源部が関連付けられ、移動式の取換え可能なＦＰＤカセッテカメラ６０には、取換え可能なＸ線源７０が関連付けられる。
【００６８】
このため、立位撮影装置４０又は臥位撮影装置５０において撮影された画像データに対して、キャリブレーションのためのＸ線源及び撮影装置の識別情報の情報入力作業やキャリブレーション撮影を不要とすることができ、キャリブレーション時にＸ線源及び撮影装置の組合せ表などが不要となる。よって、立位撮影装置４０、臥位撮影装置５０及びＦＰＤカセッテカメラ６０において、表示された撮影オーダ情報に基づいて容易に撮影を行うことができるとともに、ＦＰＤ撮影システム１００全体として、撮影された画像データに対して、キャリブレーションのための情報入力作業の負担やキャリブレーション撮影実行を軽減でき、当該キャリブレーションのための情報（例えば、前記組合せ表）の記憶容量の節約を行うことができ、かつＦＰＤカセッテカメラ６０及びＸ線源７０を用いてポータブル撮影を行うことができる。
【００６９】
また、１台の制御装置１０において、現在の時刻情報を含み、キャリブレーション後の画像データと撮影オーダ情報とを関連付けるためのＵＩＤを生成するので、ＵＩＤに基づいて、キャリブレーション後の画像データと撮影オーダ情報とを容易に関連付けできるとともに、制御装置が複数存在しその計時部が複数存在することによるＵＩＤ中の時刻情報の重複を防ぐことができ、さらに、制御装置ＩＤが１台であるので、ＵＩＤ中の制御装置ＩＤが不要となり、ＵＩＤを短くすることができる。
【００７０】
なお、上記実施の形態のＦＰＤ撮影システム１００では、ネットワークＮとは別に、制御装置１０に立位撮影装置４０、臥位撮影装置５０、ＦＰＤカセッテカメラ６０及びＸ線源７０が接続される構成であるが、これに限るものではない。例えば、図６に示すように、ＦＰＤカセッテカメラ６０及びＸ線源７０がネットワークＮを介して制御装置１０に接続されるＦＰＤ撮影システム２００として構成されてもよい。なお、Ｘ線源７０は、ネットワークＮに接続されて、制御装置１０と連動する構成とするが、これに限るものではなく、Ｘ線源７０が、ネットワークＮに接続されず、制御装置１０から独立して動作可能とする構成としてもよい。
【００７１】
また、上記実施の形態のＦＰＤ撮影システム１００では、図７（ａ）に示すように、ＦＰＤカセッテカメラ６０に表示部６４が設けられ、制御装置１０から送信された撮影オーダ情報が表示可能な構成であったが、これに限定されるものではない。例えば、図７（ｂ）に示すように、制御装置１０（又はネットワークＮ）にクレードル８０−１が接続され、クレードル８０−１にセット可能にＰＤＡ（Personal Digital Assistant）８０が設けられる構成としてもよい。ＰＤＡ８０は表示部を備える。また、ＰＤＡ８０をクレードル８０−１にセットすることで、ＰＤＡ８０と制御装置１０とが通信可能となる。そして、ＰＤＡ８０がクレードル８０−１にセットされた状態で、ＰＤＡ８０が制御装置１０から撮影オーダ情報を受信して内蔵の表示部に表示する構成としてもよい。クレードル８０−１は、ネットワークＮに接続され、あるいは制御装置１０に直接接続される。つまり、ＰＤＡ８０は、クレードル８０−１のみを介して、又はネットワークＮ及びクレードル８０−１を介して、制御装置１０に接続される。
【００７２】
さらに、ネットワークＮにＣＲ方式のカセッテの画像読取装置や、ＣＲ方式、ＣＴ方式などの方式の画像生成装置を接続して、制御装置１０によりＦＰＤ方式の以外の画像生成も管理する構成としてもよい。制御装置は、ＣＲ用の制御装置をネットワークＮに新たに設ける構成としてもよい。また、ＣＲ式のカセッテを用いる撮影に撮影オーダ情報を制御装置からＰＤＡに送信して表示させる構成としてもよい。また、ＦＰＤカセッテ６０及びＸ線源７０のうちの少なくとも１つは、複数設けられる構成としてもよい。
【００７３】
また、上記実施の形態の撮影処理において、ＦＰＤカセッテカメラ６０を用いる撮影時にキャリブレーション撮影を行う構成としているが、これに限るものではない。例えば、ＦＰＤカセッテカメラ６０の種類とＸ線源７０の種類との全ての組合せに対応するキャリブレーション情報を予め作成して記憶部１５に記憶し、撮影時にキャリブレーション情報を読み出して用いる構成としてもよい。また、撮影処理において制御装置１０が撮影オーダ情報をＨＩＳ／ＲＩＳ２０から受信して取得する構成としたが、操作者による操作部１２を介する入力により作成して取得する構成としてもよい。
【００７４】
また、上記実施の形態の立位撮影装置４０又は臥位撮影装置５０においては、Ｘ線源部と画像読取部とが一つの装置内に組み込まれる構成としたが、Ｘ線源（部）が固定されて１種類のＸ線を発生する構成であれば、別々の装置として構成してもよい。また、立位撮影装置４０及び臥位撮影装置５０が同じ部屋などに設けられ、Ｘ線源部を各装置で共通とする構成としてもよい。
【００７５】
また、上記実施の形態において、撮影された画像データに対して、撮影装置及びＸ線源（部）の組合せに対応するキャリブレーションを施す構成であったが、撮影装置及びＸ線源（部）の組合せに対応する各種画像処理を施す構成としてもよい。また、上記実施の形態において、制御装置１０から撮影オーダ情報を撮影対象の撮影装置に送信する構成であるが、これに限るものではなく、撮影オーダ情報とともに、当該撮影オーダ情報に関連する各種情報を送信する構成としてもよい。
【００７６】
その他、本実施の形態におけるＦＰＤ撮影システム１００，２００の各構成要素の細部構成、及び細部動作に関しては、本発明の趣旨を逸脱することのない範囲で適宜変更可能であることは勿論である。
【図面の簡単な説明】
【００７７】
【図１】本発明に係る実施の形態のＦＰＤ撮影システム１００のブロック構成図である。
【図２】制御装置１０の内部のブロック構成図である。
【図３】立位撮影装置４０の内部のブロック構成図である。
【図４】ＦＰＤカセッテカメラ６０の内部のブロック構成図である。
【図５】制御装置１０において実行される撮影処理を示すフローチャートである。
【図６】ＦＰＤ撮影システム２００のブロック構成図である。
【図７】撮影オーダ情報の表示を示す図であり、（ａ）はＦＰＤカセッテカメラ６０に撮影オーダ情報を表示させる構成を示す図であり、（ｂ）はＰＤＡ８０に撮影オーダ情報を表示させる構成を示す図である。
【符号の説明】
【００７８】
１００，２００  ＦＰＤ撮影システム
１０  制御装置
２０  ＨＩＳ／ＲＩＳ
３０  画像サーバ
４０  立位撮影装置
５０  臥位撮影装置
６０，６０Ａ  ＦＰＤカセッテカメラ
１１，４１，６１  ＣＰＵ
１２，４２，６２  操作部
１３，４３，６３  ＲＡＭ
１４，４４，６４  表示部
１５，４５，６５  記憶部
１６  通信制御部
１８，４８，６７  Ｉ／Ｆ
１９，４９，６４  バス
１１１，４１１，６１１  制御部
４６，６６  画像読取部
４７  Ｘ線源部
７０  Ｘ線源
８０  ＰＤＡ
８０−１  クレードル
Ｎ  ネットワーク
【図１】
2005111054.tif 000003
【図２】
2005111054.tif 000004
【図３】
2005111054.tif 000005
【図４】
2005111054.tif 000006
【図５】
2005111054.tif 000007
【図６】
2005111054.tif 000008
【図７】
2005111054.tif 000009